【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
ボイス・オーバ・インターネット・プロトコル（ＶｏＩＰ）サービスをサポートする無線送受信装置（ＷＴＲＵ）であって、
送信データを符号化し、受信データを復号化するためのＶｏＩＰコーデックであって、前記ＶｏＩＰコーデックの符号化速度は、制御装置によってチャネル状態に基づいて指定される、ＶｏＩＰコーデックと、
前記符号化された送信データにＩＰヘッダを付加することにより送信ＶｏＩＰパケットを生成し、受信ＶｏＩＰパケットを処理するためのＩＰレイヤと、
前記送信ＶｏＩＰパケットおよび前記受信ＶｏＩＰパケットを順序通りに引き渡すための無線リンク制御（ＲＬＣ）レイヤと、
通信ピア間で前記送信ＶｏＩＰパケットおよび前記受信ＶｏＩＰパケットを転送するための媒体アクセス制御（ＭＡＣ）レイヤと、
無線チャネルを介して、前記送信ＶｏＩＰパケットを送信し、前記受信ＶｏＩＰパケットを受信するための物理レイヤと
を備えることを特徴とするＷＴＲＵ。
【請求項２】
前記ＶｏＩＰコーデックは、誤りに対して敏感なビットおよび誤りに対して敏感ではないビットについての明確な指示を送り、それにより、誤り保護のために、前記敏感なビットおよび前記敏感ではないビットが別々に処理されることを特徴とする請求項１に記載のＷＴＲＵ。
【請求項３】
前記ＶｏＩＰコーデックは、誤りに対する感度に従って所定の順序で前記送信データを出力し、それにより、誤り保護のために、前記敏感なビットおよび前記敏感ではないビットが別々に処理されることを特徴とする請求項１に記載のＷＴＲＵ。
【請求項４】
前記ＲＬＣレイヤまたは前記ＭＡＣレイヤのうちの１つは、前記送信ＶｏＩＰパケットを複数のフラグメントに分割することを特徴とする請求項２に記載のＷＴＲＵ。
【請求項５】
前記ＭＡＣレイヤは、前記敏感なビットを含むフラグメントに対して、前記敏感ではないビットを含むフラグメントよりも頑強な変調方式および符号化方式を適用することを特徴とする請求項４に記載のＷＴＲＵ。
【請求項６】
前記敏感なビットを含むフラグメントの数が最小限の数であることを特徴とする請求項４に記載のＷＴＲＵ。
【請求項７】
前記ＭＡＣレイヤは、各フラグメントに別個の巡回冗長検査（ＣＲＣ）を付加することを特徴とする請求項４に記載のＷＴＲＵ。
【請求項８】
前記ＭＡＣレイヤは、複数のトランスポート・ブロック（ＴＢ）を同じ伝送時間間隔（ＴＴＩ）で送信するように構成され、各フラグメントは、別個のＣＲＣを有する別個のＴＢを用いて送信されることを特徴とする請求項７に記載のＷＴＲＵ。
【請求項９】
前記ＭＡＣレイヤは、１つのトランスポート・ブロック（ＴＢ）をある伝送時間間隔（ＴＴＩ）で送信するように構成され、各フラグメントは、別のＴＴＩで送信されることを特徴とする請求項７に記載のＷＴＲＵ。
【請求項１０】
前記ＭＡＣレイヤは、前記敏感なビットを含むフラグメントにのみＣＲＣを付加することを特徴とする請求項７に記載のＷＴＲＵ。
【請求項１１】
前記ＭＡＣレイヤは、前記敏感なビットを含むフラグメントに、誤り保護に関して強度がより高いＣＲＣを付加することを特徴とする請求項７に記載のＷＴＲＵ。
【請求項１２】
誤り保護のために、前記敏感なビットおよび前記敏感ではないビットが、前記物理レイヤによって別々に処理されることを特徴とする請求項２に記載のＷＴＲＵ。
【請求項１３】
前記ＭＡＣレイヤは、前記敏感なビットの数および位置についての指示を前記物理レイヤに送ることを特徴とする請求項１２に記載のＷＴＲＵ。
【請求項１４】
前記物理レイヤは、前記敏感なビットには、前記敏感ではないビットよりも少ないパンクチャリングを適用することを特徴とする請求項１２に記載のＷＴＲＵ。
【請求項１５】
前記物理レイヤは、前記敏感なビットには、前記敏感ではないビットよりも多くの繰返しを適用することを特徴とする請求項１２に記載のＷＴＲＵ。
【請求項１６】
前記送信ＶｏＩＰパケットのヘッダを圧縮し、前記受信ＶｏＩＰパケットのヘッダを復元するためのヘッダ圧縮および復元エンティティをさらに備えることを特徴とする請求項１に記載のＷＴＲＵ。
【請求項１７】
前記ヘッダ圧縮および復元エンティティは、前記制御装置または無線チャネルの状態に関するフィードバックからの指示の１つに従って、前記圧縮および復元を選択的に実行することを特徴とする請求項１６に記載のＷＴＲＵ。
【請求項１８】
前記敏感なビットの部分的な範囲についてのチェックサム・カバレッジ・フィールドを含むＵＤＰ−Ｌｉｔｅヘッダを付加し、分離するためのユーザ・データグラム・プロトコル（ＵＤＰ）レイヤをさらに含むことを特徴とする請求項２に記載のＷＴＲＵ。
【請求項１９】
前記送信ＶｏＩＰパケットのヘッダを圧縮し、前記受信ＶｏＩＰパケットのヘッダを復元するためのヘッダ圧縮および復元エンティティをさらに備えるＷＴＲＵであって、前記制御装置は、ＵＤＰ−Ｌｉｔｅがアクティブ状態にあるかどうかに関する指示を前記ヘッダ圧縮および復元エンティティに送り、それにより、ＵＤＰ−Ｌｉｔｅがアクティブである状態において、前記ＵＤＰ−Ｌｉｔｅヘッダのチェックサム・カバレッジ・フィールドは圧縮されないことを特徴とする請求項１８に記載のＷＴＲＵ。
【請求項２０】
前記制御装置は、前記符号化速度を調整するために、コーデック・モード要求（ＣＭＲ）を送ることを特徴とする請求項１に記載のＷＴＲＵ。
【請求項２１】
前記制御装置は、前記符号化速度を調整する必要性を示す指示を送り、前記指示に応答して、コーデック・モード要求（ＣＭＲ）が通信ピアに送られることを特徴とする請求項１に記載のＷＴＲＵ。
【請求項２２】
沈黙時間中、通信ピアからコンフォート・ノイズ・パケットを受け取ることなくコンフォート・ノイズを生成するコンフォート・ノイズ発生器をさらに備えることを特徴とする請求項１に記載のＷＴＲＵ。
【請求項２３】
前記ＲＬＣレイヤは、前記パケットが首尾よく受け取られているかどうかの指示とともに、すべてのパケットを上位レイヤに送ることを特徴とする請求項１に記載のＷＴＲＵ。
【請求項２４】
前記ＭＡＣレイヤは、複数のハイブリッド自動反復要求（Ｈ−ＡＲＱ）プロセスを含み、同期Ｈ−ＡＲＱを実施することを特徴とする請求項１に記載のＷＴＲＵ。
【請求項２５】
複数のＨ−ＡＲＱプロセス中の少なくとも２つのＨ−ＡＲＱプロセスは、割り当てられるＨ−ＡＲＱプロセスが伝送時間間隔の最大限だけ分離されるように、前記ＶｏＩＰサービスに対して割り当てられることを特徴とする請求項２４に記載のＷＴＲＵ。
【請求項２６】
前記送信ＶｏＩＰパケットが現在割り当てられている無線リソースに適合しないサイズである状態において、前記ＶｏＩＰパケットは、少なくとも２つのフラグメントに断片化され、それにより、前記送信ＶｏＩＰパケットは、フラグメントによって送られることを特徴とする請求項１に記載のＷＴＲＵ。
【請求項２７】
前記ＭＡＣレイヤは、第１のフラグメントとともに追加の無線リソースを求める要求を送り、前記追加の無線リソースを使用して、残りのフラグメントを送ることを特徴とする請求項２６に記載のＷＴＲＵ。
【請求項２８】
最小限の無線リソースは、周期的に割り当てられることを特徴とする請求項２６に記載のＷＴＲＵ。
【請求項２９】
前記ＭＡＣレイヤは、第１のフラグメントを送ると、続いて割り当てられる追加の無線リソースを使用して、前記残りのフラグメントを送ることを特徴とする請求項２６に記載のＷＴＲＵ。
【請求項３０】
前記追加の無線リソースは、前記送信ＶｏＩＰパケットの前記残りのフラグメントに対して割り当てられることを特徴とする請求項２７に記載のＷＴＲＵ。
【請求項３１】
前記追加の無線リソースは、前記送信ＶｏＩＰパケット全体に対して割り当てられることを特徴とする請求項２７に記載のＷＴＲＵ。
【請求項３２】
前記ＭＡＣレイヤは、前記パケットの同期ハイブリッド自動反復要求（Ｈ−ＡＲＱ）再送信に対して割り当てられる無線リソースを使用して、前記残りのフラグメントを送ることを特徴とする請求項２７に記載のＷＴＲＵ。
【請求項３３】
ボイス・オーバ・インターネット・プロトコル（ＶｏＩＰ）サービスをサポートするための方法であって、
データをＶｏＩＰコーデックを用いて符号化するステップであって、前記ＶｏＩＰコーデックの符号化速度が制御装置によってチャネル状態に基づいて指定されるステップと、
前記符号化されたデータにＩＰヘッダを付加することによってＶｏＩＰパケットを生成するステップと、
誤り保護のために前記ＶｏＩＰパケットを処理するステップと、
前記ＶｏＩＰパケットを送信するステップと
を備えることを特徴とする方法。
【請求項３４】
誤りに対して敏感なビットおよび誤りに対して敏感ではないビットについての明確な指示を送るステップをさらに含む方法であって、それにより、誤り保護のために、前記敏感なビットおよび前記敏感ではないビットが別々に処理されることを特徴とする請求項３３に記載の方法。
【請求項３５】
前記符号化されたデータは、誤りに対する感度に従って所定の順序で配置され、それにより、誤り保護のために、前記敏感なビットおよび前記敏感ではないビットが別々に処理されることを特徴とする請求項３４に記載の方法。
【請求項３６】
前記ＶｏＩＰパケットを複数のフラグメントに断片化するステップをさらに備える方法であって、誤り保護のために、敏感なビットを含むフラグメントおよび敏感ではないビットを含むフラグメントが別々に処理されることを特徴とする請求項３４に記載の方法。
【請求項３７】
前記ＶｏＩＰパケットは、無線リンク制御（ＲＬＣ）レイヤによって断片化されることを特徴とする請求項３６に記載の方法。
【請求項３８】
前記ＶｏＩＰパケットは、媒体アクセス制御（ＭＡＣ）レイヤによって断片化されることを特徴とする請求項３６に記載の方法。
【請求項３９】
媒体アクセス制御（ＭＡＣ）レイヤは、前記敏感なビットを含むフラグメントに対して、前記敏感ではないビットを含むフラグメントよりも頑強な変調方式および符号化方式を適用することを特徴とする請求項３６に記載の方法。
【請求項４０】
前記ＶｏＩＰパケットは、前記敏感なビットを含むフラグメントの数が最小限の数となるように断片化されることを特徴とする請求項３６に記載の方法。
【請求項４１】
各フラグメントに別個の巡回冗長検査（ＣＲＣ）を付加するステップをさらに備えることを特徴とする請求項３６に記載の方法。
【請求項４２】
媒体アクセス制御（ＭＡＣ）レイヤは、複数のトランスポート・ブロック（ＴＢ）を同じ伝送時間間隔（ＴＴＩ）で送信するように構成され、各フラグメントは、別個のＣＲＣを有する別個のＴＢを用いて送信されることを特徴とする請求項４１に記載の方法。
【請求項４３】
媒体アクセス制御（ＭＡＣ）レイヤは、１つのトランスポート・ブロック（ＴＢ）をある伝送時間間隔（ＴＴＩ）で送信するように構成され、各フラグメントは、別のＴＴＩで送信されることを特徴とする請求項４１に記載の方法。
【請求項４４】
ＣＲＣは、前記敏感なビットを含むフラグメントにのみ付加されることを特徴とする請求項４１に記載の方法。
【請求項４５】
誤り保護に関して強度がより高いＣＲＣは、前記敏感なビットを含むフラグメントに付加されることを特徴とする請求項４１に記載の方法。
【請求項４６】
物理レイヤは、誤り保護のために、前記敏感なビットおよび前記敏感ではないビットを別々に処理することを特徴とする請求項３４に記載の方法。
【請求項４７】
媒体アクセス制御（ＭＡＣ）レイヤは、前記敏感なビットの数および位置についての指示を前記物理レイヤに送ることを特徴とする請求項４６に記載の方法。
【請求項４８】
前記物理レイヤは、前記敏感なビットには、前記敏感ではないビットよりも少ないパンクチャリングを適用することを特徴とする請求項４６に記載の方法。
【請求項４９】
前記物理レイヤは、前記敏感なビットには、前記敏感ではないビットよりも多くの繰返しを適用することを特徴とする請求項４６に記載の方法。
【請求項５０】
前記ＶｏＩＰパケットのヘッダを圧縮するステップをさらに備えることを特徴とする請求項３３に記載の方法。
【請求項５１】
前記圧縮は、前記制御装置または無線チャネル状態に関するフィードバックからの指示の１つに従って選択的に実行されることを特徴とする請求項５０に記載の方法。
【請求項５２】
前記敏感なビットの部分的な範囲についてのチェックサム・カバレッジ・フィールドを含むユーザ・データグラム・プロトコル（ＵＤＰ）−Ｌｉｔｅヘッダを付加するステップをさらに備えることを特徴とする請求項３４に記載の方法。
【請求項５３】
ＵＤＰ−Ｌｉｔｅがアクティブ状態にあるかどうかに関する指示を前記制御装置が送るステップをさらに備える方法であって、ＵＤＰ−Ｌｉｔｅがアクティブである状態において、前記ＵＤＰ−Ｌｉｔｅヘッダのチェックサム・カバレッジ・フィールドは圧縮されないことを特徴とする請求項５２に記載の方法。
【請求項５４】
前記制御装置は、前記符号化速度を調整するために、コーデック・モード要求（ＣＭＲ）を送ることを特徴とする請求項３３に記載の方法。
【請求項５５】
前記制御装置は、前記符号化速度を調整する必要性を示す指示を送り、前記指示に応答して、コーデック・モード要求（ＣＭＲ）が通信ピアに送られることを特徴とする請求項３３に記載の方法。
【請求項５６】
ＶｏＩＰパケットを受信するステップと、
前記受信されたＶｏＩＰパケットを処理してＶｏＩＰデータを復元するステップと、
沈黙時間中、コンフォート・ノイズ・パケットを受け取ることなくコンフォート・ノイズを生成するステップと
をさらに備えることを特徴とする請求項３３に記載の方法。
【請求項５７】
前記受信されたＶｏＩＰパケットが首尾よく受け取られたかどうかの指示とともに、前記受信されたＶｏＩＰパケットを上位レイヤに転送するステップをさらに含むことを特徴とする請求項５６に記載の方法。
【請求項５８】
前記ＶｏＩＰパケットの送信および再送信のために、同期ハイブリッド自動反復要求（Ｈ−ＡＲＱ）機構を実行するステップをさらに含むことを特徴とする請求項３３に記載の方法。
【請求項５９】
複数のＨ−ＡＲＱプロセス中の少なくとも２つのＨ−ＡＲＱプロセスは、割り当てられるＨ−ＡＲＱプロセスが伝送時間間隔の最大限だけ分離されるように、前記ＶｏＩＰサービスに対して割り当てられることを特徴とする請求項５８に記載の方法。
【請求項６０】
前記ＶｏＩＰパケットのサイズが、現在割り当てられている無線リソースに適合しない状態において、前記ＶｏＩＰパケットを少なくとも２つのフラグメントに断片化するステップをさらに備え、前記ＶｏＩＰパケットはフラグメントによって送られることを特徴とする請求項３３に記載の方法。
【請求項６１】
第１のフラグメントとともに、追加の無線リソースを求める要求を送るステップをさらに備え、前記残りのフラグメントは、前記追加の無線リソースを使用して送られることを特徴とする請求項６０に記載の方法。
【請求項６２】
最小限の無線リソースは、周期的に割り当てられることを特徴とする請求項６０に記載の方法。
【請求項６３】
第１のフラグメントを受け取ると追加の無線リソースが割り当てられ、それにより、前記残りのフラグメントは、前記追加の無線リソースを使用して送られることを特徴とする請求項６１に記載の方法。
【請求項６４】
前記追加の無線リソースは、前記残りのフラグメントに対して割り当てられることを特徴とする請求項６１に記載の方法。
【請求項６５】
前記追加の無線リソースは、前記ＶｏＩＰパケット全体に対して割り当てられることを特徴とする請求項６１に記載の方法。
【請求項６６】
前記残りのフラグメントは、前記ＶｏＩＰパケットの同期ハイブリッド自動反復要求（Ｈ−ＡＲＱ）再送信に対して割り当てられる無線リソースを使用して送られることを特徴とする請求項６０に記載の方法。